(57)【要約】【課題】効率的な位置情報管理システムを提供することを目的とする。【解決手段】屋内に設置された通信装置から測位信号を受信する無線端末の位置情報を管理する位置情報管理サーバであって、一以上の前記通信装置の設置位置を表すマーカーを地図とともに表示させるフロア地図表示手段と、前記マーカーをユーザーに選択させる選択手段と、選択された前記マーカーに対応する前記通信装置から前記測位信号を受信する無線端末を特定する特定手段と、特定された前記無線端末の情報を表示させる端末情報表示手段と、を有する、位置情報管理サーバを提供する。【選択図】図１０
2014060466.tif 000002
【特許請求の範囲】
【請求項１】
屋内に設置された通信装置から測位信号を受信する無線端末の位置情報を管理する位置情報管理サーバであって、
一以上の前記通信装置の設置位置を表すマーカーを地図とともに表示させるフロア地図表示手段と、
前記マーカーをユーザーに選択させる選択手段と、
選択された前記マーカーに対応する前記通信装置から前記測位信号を受信する無線端末を特定する特定手段と、
特定された前記無線端末の情報を表示させる端末情報表示手段と、
を有する、位置情報管理サーバ。
【請求項２】
前記情報は、前記地図とともに表示される、
請求項１に記載の位置情報管理サーバ。
【請求項３】
前記情報には、前記無線端末を所有する部署の情報と、前記無線端末の機器名を表す情報とが含まれる、
請求項１又は２に記載の位置情報管理サーバ。
【請求項４】
前記選択手段における選択の後に、当該管理サーバが管理する無線端末の各々から、位置情報を取得する位置情報取得手段
をさらに有し、
前記特定手段は、取得した該無線端末の各々の位置情報を用いて、前記無線端末を特定する、
請求項１乃至３何れか一項に記載の位置情報管理サーバ。
【請求項５】
前記選択手段は、前記地図上に図形を描かせることによって前記マーカーを選択させる、
請求項１乃至４何れか一項に記載の位置情報管理サーバ。
【請求項６】
前記測位信号は、前記通信装置の経緯座標を表す情報を含む、
請求項１乃至５何れか一項に記載の位置情報管理サーバ。
【請求項７】
屋内に設置された通信装置から測位信号を受信する無線端末の位置情報を管理する位置情報管理方法であって、
一以上の前記通信装置の設置位置を表すマーカーを地図とともに表示させるフロア地図表示段階と、
前記マーカーをユーザーに選択させる選択段階と、
選択された前記マーカーに対応する前記通信装置から前記測位信号を受信する無線端末を特定する特定段階と、
特定された前記無線端末の情報を表示させる端末情報表示段階と、
を有する、位置情報管理方法。
【請求項８】
屋内に設置された通信装置から測位信号を受信する無線端末と、該無線端末の位置情報を管理する位置情報管理サーバとを有する位置情報管理システムであって、
前記位置情報管理サーバは、
一以上の前記通信装置の設置位置を表すマーカーを地図とともに表示させるフロア地図表示手段と、
前記マーカーをユーザーに選択させる選択手段と、
選択された前記マーカーに対応する前記通信装置から前記測位信号を受信する無線端末を特定する特定手段と、
特定された前記無線端末の情報を表示させる端末情報表示手段と、
を有し、
前記無線端末は、
前記測位によって取得した位置情報を前記位置情報管理サーバに送信する送信手段と、
を有する、
位置情報管理システム。
【発明の詳細な説明】
【技術分野】
【０００１】
本発明は、位置情報管理サーバ、位置情報管理方法及び位置情報管理システムに関する。
【背景技術】
【０００２】
GPS等を用いた正確な測位が困難な施設等において、無線端末又は無線端末を有する人又は物品の位置を把握し、管理するために、様々な位置情報管理システムが提案されている。
【０００３】
特許文献１には、人に付されたパッシブ方式のRFタグを、固定されたRFリーダライタによって読み取り、その位置を他の無線端末等に通知するシステムが開示されている。
【０００４】
特許文献２には、無線端末が、近傍の送信器から無線送信される識別子を位置特定情報に置換して自らの位置を特定するシステムが開示されている。
【０００５】
特許文献３には、無線端末が、照明装置から発信される固有情報を受信し、該固有情報をサーバに送信することで、無線端末の位置を特定するシステムが開示されている。
【発明の概要】
【発明が解決しようとする課題】
【０００６】
しかしながら、特許文献１のシステムでは、通信可能範囲の狭いパッシブ方式のRFタグを読み取るために多数のRFリーダライタを設置する必要があり、インフラの導入のコストが高くなる可能性がある。
【０００７】
また、特許文献２のシステムでは、無線端末とサーバとの間の通信方式によっては、無線端末の消費電力が大きくなる可能性がある。
【０００８】
さらに、特許文献３のシステムにおいても、特許文献２と同様に、無線端末の消費電力に関して考慮されていない。また、サーバにおいて、無線端末の位置を特定するために、固有情報と関連付けられた位置を検索する必要があり、計算コストが高くなる可能性がある。
【０００９】
本発明は、このような問題に鑑みてなされたものであり、効率的な位置情報管理システムを提供することを目的とする。
【課題を解決するための手段】
【００１０】
上述した課題を解決し目的を達成するため、本発明における位置情報管理サーバは、
屋内に設置された通信装置から測位信号を受信する無線端末の位置情報を管理する位置情報管理サーバであって、
一以上の前記通信装置の設置位置を表すマーカーを地図とともに表示させるフロア地図表示手段と、
前記マーカーをユーザーに選択させる選択手段と、
選択された前記マーカーに対応する前記通信装置から前記測位信号を受信する無線端末を特定する特定手段と、
特定された前記無線端末の情報を表示させる端末情報表示手段と、
を有する。
【００１１】
また、本発明における位置情報管理方法は、
屋内に設置された通信装置から測位信号を受信する無線端末の位置情報を管理する位置情報管理方法であって、
一以上の前記通信装置の設置位置を表すマーカーを地図とともに表示させる第一表示段階と、
前記マーカーをユーザーに選択させる選択段階と、
選択された前記マーカーに対応する前記通信装置から前記測位信号を受信する無線端末を特定する特定段階と、
特定された前記無線端末の情報を表示させる第二表示段階と、
を有する。
【００１２】
また、本発明における位置情報管理システムは、
屋内に設置された通信装置から測位信号を受信する無線端末と、該無線端末の位置情報を管理する位置情報管理サーバとを有する位置情報管理システムであって、
前記位置情報管理サーバは、
一以上の前記通信装置の設置位置を表すマーカーを地図とともに表示させるフロア地図表示手段と、
前記マーカーをユーザーに選択させる選択手段と、
選択された前記マーカーに対応する前記通信装置から前記測位信号を受信する無線端末を特定する特定手段と、
特定された前記無線端末の情報を表示させる端末情報表示手段と、
を有し、
前記無線端末は、
前記測位によって取得した位置情報を前記位置情報管理サーバに送信する送信手段と、
を有する。
【発明の効果】
【００１３】
本発明によれば、効率的に位置情報を管理する位置情報管理システムを提供できる。
【図面の簡単な説明】
【００１４】
【図１Ａ】本発明の一実施形態における位置情報管理システムを表す図。
【図１Ｂ】本発明の一実施形態における位置情報管理システムを構成するネットワークを表す図。
【図２Ａ】本発明の一実施形態における通信装置のハードウェア構成図。
【図２Ｂ】本発明の一実施形態における無線端末のハードウェア構成図。
【図２Ｃ】本発明の一実施形態における管理装置のハードウェア構成図。
【図２Ｄ】本発明の一実施形態における管理サーバのハードウェア構成図。
【図３Ａ】本発明の一実施形態における通信装置の機能ブロック図。
【図３Ｂ】本発明の一実施形態における無線端末の機能ブロック図。
【図３Ｃ】本発明の一実施形態における管理装置の機能ブロック図。
【図３Ｄ】本発明の一実施形態における管理サーバの機能ブロック図。
【図４】本発明の一実施形態における通信装置が保持する情報の例を表す図。
【図５】本発明の一実施形態における無線端末が保持する情報の例を表す図。
【図６】本発明の一実施形態における無線端末が送信する位置情報のフォーマットの例を表す図。
【図７】本発明の一実施形態における管理サーバが保持する情報の例を表す図。
【図８】本発明の一実施形態における位置情報管理システムの動作シーケンスを表す図。
【図９Ａ】本発明の一実施形態における管理サーバの検索画面の例を表す図。
【図９Ｂ】本発明の一実施形態における管理サーバの検索結果画面の例を表す図。
【図１０】本発明の一実施形態における管理サーバの機能ブロック図。
【図１１】本発明の一実施形態における通信装置設置位置情報の例を表す図。
【図１２】本発明の一実施形態における位置管理情報の例を表す図。
【図１３】本発明の一実施形態における画面表示の例を表す図。
【図１４】本発明の一実施形態における画面表示の例を表す図。
【図１５】本発明の一実施形態における画面表示の例を表す図。
【図１６】本発明の一実施形態における管理サーバの処理を表すフローチャート。
【発明を実施するための形態】
【００１５】
以下、本発明の実施形態を図面に基づいて説明する。
【００１６】
１．システム
２．ハードウェア構成例
３．機能
４．動作シーケンス
５．無線端末の所在検索
５．１  管理サーバの追加機能
５．２  管理サーバの処理フロー
【００１７】
（１．システム）
図１Ａは本発明の一実施形態における位置情報管理システム１を表す。図１Ａは、通信装置１００、１０２、１０４、１０６、無線端末１２０、１２２、１２４、管理装置１４０、管理サーバ１６０、通信装置と無線端末と管理装置とから構成されるネットワーク１８０及びネットワーク１９０を有する。ここで、ネットワーク１８０は、管理装置１４０によって管理される無線ネットワークである。図１Ｂは、図１Ａにおいて無線ネットワークを構成する通信装置１００、１０２、１０４、１０６、無線端末１２０、１２２、１２４、管理装置１４０を抜き出して示したものである。
【００１８】
通信装置１００、１０２、１０４、１０６は、例えば部屋の天井等に固定され、固定された位置に係る、経緯情報、建物の階数及び棟番号のような位置情報（以下「位置情報」とする）そのものを連続的又は断続的に無線送信する。通信装置は、それぞれ独立した筐体を有し、予め設置された電源から給電されて動作するか、あるいはLED蛍光管のような照明器具に組み込まれ、該照明器具から給電されて動作する。通信装置１００、１０２、１０４、１０６は、それぞれが保持する位置情報を、無線信号により所定の範囲に送信する。所定の範囲は、用いられる無線信号の信号強度によって定められる。通信装置は、位置の管理対象となる領域をカバーするように配置され、それぞれの領域が重複しないように構成される。あるいは、重複する場合であっても、位置情報を受信する側において、受信電波の強度に基づいて、何れか一つの通信装置が決定できるよう構成される。図１Ａの例では、それぞれの通信装置の下方に示される円錐型の点線が、所定の範囲を表している。位置情報を送信する通信方式として、例えば地上補完信号（Indoor  Messaging  System;IMES）を用いることができる。
【００１９】
無線端末１２０、１２２、１２４は、通信装置１００、１０２、１０４、１０６のうち、最寄の通信装置が送信する無線信号を受信することができる。図１Ａの例では、それぞれの無線端末は、位置を管理する対象である直方体の管理対象物に付されている。無線端末１２０、１２２、１２４は、自らも電波を送信可能な、例えばアクティブタグのような端末である。以下、無線端末１２０について説明する。
【００２０】
無線端末１２０は、通信装置１００からの無線信号を受信できる範囲にあり、通信装置１００の位置情報を受信する。通信装置１００の位置情報の受信は、例えばIMESを用いて行われる。無線端末１２０は、受信した位置情報と共に、例えばネットワークアドレスのような自らの識別情報を含む情報を通信装置１００へ送信する。該送信は、例えばIEEE802.15.4及びZigBee（登録商標）のような近距離無線通信によるネットワーク１８０を通じて行われる。この場合には、無線端末１２０の識別情報として、IEEE802.15.4の短縮アドレスまたはIEEE拡張（MAC）アドレスを用いることができる。通信装置１００へ送信された識別情報と位置情報は、次に、隣接する通信装置１０２を経由して、管理装置１４０に送信される。なお、無線端末１２０における送受信の動作は、当該無線端末１２０において予め定められたタイミングか、あるいは、当該無線端末１２０の備える加速度センサによる加速度の変化が検出されたタイミングで行われる。
【００２１】
管理装置１４０は、ネットワーク１８０とネットワーク１９０とを相互に接続し、ネットワーク１８０側から送信されたデータをネットワーク１９０にブリッジする。管理装置１４０は、例えば建物のフロア毎、または壁などで仕切られた部屋毎に設置される。ネットワーク１８０がIEEE802.15.4及びZigBee（登録商標）によるPAN（Personal  Area  Network）であり、ネットワーク１９０がIEEE802.3規格に基づくLANである場合には、それらの間での通信方式の変換を行う。また、無線端末１２０の識別情報がIEEE802.15.4の短縮アドレスで表されている場合には、PAN構成時の情報に基づきIEEE拡張アドレスに変換し、管理サーバ１６０に送信する。
【００２２】
管理サーバ１６０は、管理装置１４０を経由して受信された識別情報と位置情報とを、受信日時と共に記録し、通信装置の位置を管理する。管理サーバ１６０では、無線端末に係る管理対象物が予め記録されている。よって、これらの情報を用いて、管理対象物の所在を探索することができる。
【００２３】
ネットワーク１８０は、それぞれの通信装置１００、１０２、１０４、１０６と、無線端末１２０、１２２、１２４と、管理装置１４０とを接続する、例えばIEEE802.15.4及びZigBee（登録商標）規格によって構成されるPANである。PANがIEEE802.15.4及びZigBee（登録商標）規格で構成される場合は、無線端末、通信装置、管理装置は、それぞれZigBee（登録商標）規格で定められるエンドデバイス機能、ルータ機能及びコーディネータ機能を有する。そして、それぞれの通信装置及び無線端末は、起動時に管理装置の管理下に入り、PANを構成し、管理装置への最小経路が決定される。
【００２４】
ネットワーク１９０は、管理装置１４０と管理サーバ１６０とを接続するネットワークであり、例えばIEEE802.3規格で定められるLANである。
【００２５】
上記の通り、本発明の一実施形態における位置情報管理システム１において、無線端末は、最寄の通信装置と通信できるだけの電力を用いて、識別情報と位置情報とを管理サーバへ送信することができる。また、通信装置を設置するための新たなインフラの敷設が不要であり、導入コストを低減することができる。
【００２６】
なお、通信装置の位置情報は、ネットワーク１８０を通じて提供されてもよい。これにより、IMESのような位置情報を送信するための送信手段が不要となる。
【００２７】
また、無線端末は、位置情報を送信した通信装置よりさらに近傍に管理装置が存在する場合には、識別情報と位置情報とを管理装置１４０に送信してもよい。これにより、最短経路で識別情報と位置情報が管理サーバに送信できる。
【００２８】
また、管理サーバに、管理装置の機能を統合してもよい。これにより、個別の管理装置が不要となる。
【００２９】
また、無線端末は、スマートフォン、PDA、PC又はスマートメータのような、アクティブタグと同等の機能を有する無線端末であってもよい。これにより、タグを付することなく、既存の無線端末の位置情報の管理が可能となる。
【００３０】
また、上述の位置情報に加えて、例えば部屋の中の区画を表す情報のような、より細かな位置を特定する情報を含んでもよい。これにより、より細かな位置管理が可能となる。
【００３１】
また、位置管理対象が人であってもよい。これにより、当該システム１によって人の所在を管理することができる。
【００３２】
また、ネットワーク１８０は、例えばBluetooth  LE、ANT、Z-Wave等の近距離無線通信を用いて構成されてもよい。これにより、多様な無線端末の位置情報を管理することが可能となる。
【００３３】
また、ネットワーク１９０は、例えばインターネットのような、複数の種類のネットワークを含んでもよい。これにより、ネットワーク１８０と管理サーバ１６０との間の物理的な位置に関係なく、無線端末の位置情報を管理することが可能となる。
【００３４】
（２．ハードウェア構成例）
次に、図２Ａ、２Ｂ、２Ｃ、２Ｄを用いて、位置情報管理システム１に含まれる通信装置１００、無線端末１２０、管理装置１４０、管理サーバ１６０のハードウェア構成について説明する。
【００３５】
図２Ａは、本発明の一実施形態における通信装置１００のハードウェア構成を表す。通信装置１００は、ＣＰＵ２００、ＲＡＭ２０２、ＲＯＭ２０４、位置信号送信制御部２０６、位置信号送信部２０８、無線通信制御部２１０、無線通信部２１２及びバス２１４を有する。
【００３６】
ＣＰＵ２００は、当該通信装置１００の動作制御を行うプログラムを実行する。ＲＡＭ２０２は、ＣＰＵ２００のワークエリア等を構成する。ＲＯＭ２０４は、ＣＰＵ２００が実行するプログラムに加えて、当該通信装置１００の位置情報を記憶する。位置信号送信制御部２０６は、位置信号送信部２０８を介して当該通信装置１００の位置情報を表す測位信号を送信するための処理を実行する。位置信号送信部２０８は、例えばIMESのような測位信号を送出するアンテナを含む装置である。無線通信制御部２１０は、無線通信部２１２を介して無線通信処理を実行する。無線通信部２１２は、例えばIEEE802.15.4規格に適合する電波を送受信可能なアンテナを含む装置である。バス２１４は、上記装置を電気的に接続する。
【００３７】
上記構成により、本発明の一実施形態における通信装置１００は、無線端末１２０に対して位置情報を送信し、無線端末１２０から識別情報と位置情報を受信し、これらの情報を管理装置を介して管理サーバへ送信することができる。
【００３８】
なお、上述したように、位置情報を無線通信によって送信する場合には、位置信号送信制御部２０６と位置信号送信部２０８は不要となる。
【００３９】
図２Ｂは、本発明の一実施形態における無線端末１２０のハードウェア構成を表す。通信端末１２０は、ＣＰＵ２２０、ＲＡＭ２２２、ＲＯＭ２２４、位置信号受信制御部２２６、位置信号受信部２２８、無線通信制御部２３０、無線通信部２３２、加速度検出制御部２３４、加速度検出部２３６及びバス２３８を有する。
【００４０】
ＣＰＵ２２０は、当該無線端末１２０の動作制御を行うプログラムを実行する。ＲＡＭ２２２は、ＣＰＵ２２０のワークエリア等を構成する。ＲＯＭ２２４は、ＣＰＵ２２０が実行するプログラムに加えて、当該無線端末１２０の識別情報や、通信装置１００から受信した位置情報を記憶する。位置信号受信制御部２２６は、位置信号受信部２２８を介して、位置情報を表す測位信号を受信するための処理を実行する。位置信号受信部２２８は、例えばIMESのような測位信号を受信するアンテナを含む装置である。無線通信制御部２３０は、無線通信部２３２を介して無線通信処理を実行する。無線通信部２３２は、例えばIEEE802.15.4規格に適合する電波を送受信可能なアンテナを含む装置である。加速度検出制御部２３４は、加速度検出部２３６を介して加速度の変化を検出する。加速度検出部２３６は、例えば加速度センサ又は慣性力や磁気を用いたモーションセンサである。バス２３８は、上記装置を電気的に接続する。
【００４１】
上記構成により、本発明の一実施形態における無線端末１２０は、通信装置１００から位置情報を受信し、前記位置情報と共に自らの識別情報を通信装置１００へ送信することができる。特に、無線端末が動かされたタイミングで送信又は受信の動作を行うことにより、効率的に識別情報及び位置情報を送信することができる。
【００４２】
なお、無線端末１２０がスマートフォンやＰＣのような情報端末である場合には、ユーザーからの入力を受け付ける、例えばタッチパネル、ダイヤルキー、キーボード、マウスのような入力装置及び対応する入力制御部を備えてもよい。さらに、スクリーンのような表示装置及び対応する表示制御部を備えてもよい。
【００４３】
また、無線端末１２０がGPSアンテナ及び対応する制御部を備える場合には、前記アンテナを用いてIMESによる測位信号を受信でき、ソフトウェアの改修のみによって当該位置情報管理システム１に対応させることができる。
【００４４】
また、加速度検出制御部２３４及び加速度検出部２３６は任意の構成要素である。加速度検出制御部２３４及び加速度検出部２３６を備えない場合には、当該無線端末１２０の送信又は受信の動作は、予め定められた間隔又は時刻においてなされる。
【００４５】
また、上述したように、位置情報が無線通信によって受信される場合には、位置信号受信制御部２２６と位置信号受信部２２８は不要となる。
【００４６】
図２Ｃは、本発明の一実施形態における管理装置１４０のハードウェア構成を表す。管理装置１４０は、ＣＰＵ２４０、ＲＡＭ２４２、ＲＯＭ２４４、無線通信制御部２４６、無線通信装置２４８、有線通信制御部２５０、有線通信装置２５２及びバス２５４を有する。
【００４７】
ＣＰＵ２４０は、当該管理装置１４０の動作制御を行うプログラムを実行する。ＲＡＭ２４２は、ＣＰＵ２４０のワークエリア等を構成する。ＲＯＭ２４４は、ＣＰＵ２４０が実行するプログラムや該プログラムが使用するデータを記憶する。無線通信制御部２４６は、無線通信装置２４８を介して無線通信処理を実行する。無線通信装置２４８は、例えばIEEE802.15.4規格に適合する電波を送受信可能なアンテナを含む装置である。有線通信制御部２５０は、有線通信装置２５２を介して有線による通信処理を実行する。有線通信装置２５２は、例えばIEEE802.3規格に適合するネットワークインターフェースを有する装置である。バス２５４は、上記装置を電気的に接続する。
【００４８】
上記構成により、本発明の一実施形態における管理装置１４０は、通信装置１００及び無線端末１２０を含むネットワーク１８０からの信号を、管理サーバ１６０を含むネットワーク１９０へと変換することができる。また、PANを構成するネットワーク１８０がZigBee（登録商標）である場合には、PANに参加するデバイスを管理するコーディネータの機能を有することができる。
【００４９】
図２Ｄは、本発明の一実施形態における管理サーバ１６０のハードウェア構成を表す。管理サーバ１６０は、ＣＰＵ２６０、ＲＡＭ２６２、ＲＯＭ２６４、ＨＤＤ２６６、通信制御部２６８、通信部２７０、表示制御部２７２、表示部２７４、入力制御部２７６、入力部２７８及びバス２８０を有する。
【００５０】
ＣＰＵ２６０は、当該管理サーバ１６０の動作制御を行うプログラムを実行する。ＲＡＭ２６２は、ＣＰＵ２６０のワークエリア等を構成する。ＲＯＭ２６４は、ＣＰＵ２６０が実行するプログラムや該プログラムが使用するデータを記憶する。ＨＤＤ２６６は、当該位置情報管理システム１で用いられる無線端末１２０の位置を管理するための情報を記憶する。通信制御部２６８は、通信部２７０を介して通信処理を実行する。通信部２７０は、例えばIEEE802.3規格に適合するネットワークインターフェースを有する装置である。表示制御部２７２は、当該管理サーバ１６０上で実行される、位置管理に係るプログラムの処理内容に合わせて、表示部２７４に表示される内容を制御する。表示部２７４は、例えば液晶ディスプレイやＣＲＴディスプレイのようなディスプレイが含まれる。入力制御部２７６は、ユーザーからの入力を受け付ける、キーボード、マウス等の入力部２７８からの信号を処理する。バス２８０は、上記装置を電気的に接続する。
【００５１】
上記構成により、本発明の一実施形態における管理サーバ１６０は、無線端末１２０の位置を管理し、該無線端末１２０の所在を探索することができる。
【００５２】
なお、ＨＤＤ２６６は、テープドライブを含むあらゆる記憶装置であってもよく、あるいは、ネットワークを介してアクセス可能なストレージ領域であってもよい。
【００５３】
また、管理サーバ１６０は、上述した管理装置１４０が備える無線通信制御部及び無線通信装置を備え、管理装置１４０に代えて、その処理を行ってもよい。これにより、管理装置１４０を別途設ける必要がなくなる。
【００５４】
（３．機能）
図３Ａは、本発明の一実施形態における通信装置１００の機能ブロック図を表す。本発明の一実施形態における通信装置１００は、記憶手段３００、通信手段３０４及び制御手段３１２を有する。
【００５５】
記憶手段３００は、当該通信装置１００の位置情報３０２を記憶する。位置情報３０２を記憶するためのテーブルの例を図４に示す。図４は、階数、緯度、経度、棟番号の項目を含む。階数は、当該通信装置１００が設置される建物の階数を表す。緯度及び経度は、当該通信装置１００の所在する位置の緯度及び経度を表す。棟番号は、当該通信装置１００が設置される建物の棟番号を表す。図４の例では、通信装置１００は、ある建物のＣ棟の１６階に所在し、緯度が３５．４５９５５５、経度が１３９．３８７１１０の地点に所在する。
【００５６】
通信手段３０４は、位置情報送信手段３０６、端末情報受信手段３０８及び端末情報送信手段３１０を有する。
【００５７】
位置情報送信手段３０６は、経緯情報、建物の階数、棟番号のような情報を含む位置情報３０２を、所定の範囲にある無線端末１２０に対して連続的又は断続的に無線送信する。位置情報３０２は、例えばIMESに規定されるフォーマットを用いて送信される。
【００５８】
端末情報受信手段３０８は、無線端末１２０から送信された識別情報と位置情報とを受信する。
【００５９】
端末情報送信手段３１０は、無線端末１２０から送信された識別情報と位置情報とを、管理装置１４０を介して管理サーバ１６０へ送信する。ネットワーク１８０がZigBee（登録商標）規格を用いてなされる場合には、前記送信は、当該通信装置１００が保持するルーティング情報を用いて行われる。
【００６０】
制御手段３１２は、当該通信装置１００の動作を制御する。当該通信装置１００が無線端末１２０及び管理装置１４０とZigBee（登録商標）を用いてPANを構成する場合には、当該通信装置１００がルータ機能を提供するよう制御する。
【００６１】
上記構成により、本発明の一実施形態における通信装置１００は、位置情報３０２を保持し、位置情報３０２を無線端末１２０に送信し、該無線端末１２０の識別情報と位置情報を受信して、該識別情報を管理装置１４０を通じて管理サーバへ送信することができる。
【００６２】
なお、位置情報３０２は、通信装置１００が設置される建物名や、部屋の中の区画を表す情報のような追加の情報を含んでもよい。これにより、より細かな位置管理が可能となる。
【００６３】
図３Ｂは、本発明の一実施形態における無線端末１２０の機能ブロック図を表す。本発明の一実施形態における無線端末１２０は、記憶手段３２０、通信手段３２６、加速度検出手段３３２及び制御手段３３４を有する。
【００６４】
記憶手段３２０は、識別情報３２２と位置情報３２４を有する。識別情報３２２は、当該無線端末１２０のネットワークアドレスのような、当該位置情報管理システム１上で無線端末１２０を特定可能な情報を含む。例えば、ネットワーク１８０がIEEE802.15.4及びZigBee（登録商標）規格に基づく場合には、IEEE802.15.4の短縮アドレス又はIEEE拡張（MAC）アドレスを用いることができる。位置情報３２４は、通信装置１００から送信された位置情報３０２である。位置情報３２４を記憶するためのテーブルの例を図５に示す。構成は図４と同様である。
【００６５】
通信手段３２６は、位置情報受信手段３２８と識別情報送信手段３３０を有する。
【００６６】
位置情報受信手段３２８は、通信装置１００から送信された位置情報３０２を受信する。受信された位置情報３０２は、当該無線端末１２０の記憶手段３２０に保持される。
【００６７】
識別情報送信手段３３０は、当該無線端末１２０の識別情報３２２と共に位置情報３２４を通信装置１００に送信する。位置情報３２２は、例えば図６のようなフォーマットにより無線端末１２０に送信される。図５のフォーマットでは、階数、緯度、経度、棟番号の各フィールドが、それぞれ９ビット、２１ビット、２１ビット、８ビットで表現され、IMES規格によって受信したメッセージの該当フィールドを繋げた形とする。各フィールドの表現形式はIMES規格に準ずる。実際には、このフォーマットに加えて、通信方式によって規定されるヘッダやチェックサム情報が付加されて送信される。通信方式として、例えばIEEE802.15.4及びZigBee（登録商標）規格が用いられる。
【００６８】
加速度検出手段３３２は、当該無線端末１２０の加速度の変化を検出する。加速度の変化は、例えば当該無線端末１２０が移動を開始した時、該移動が停止した時、又は傾きを検出した時等に検出される。検出された加速度の変化は、当該無線端末１２０の送信又は受信の動作のタイミングを決定するために用いられる。なお、当該加速度検出手段３３２は任意の構成要素である。
【００６９】
制御手段３３４は、位置情報受信手段２３８による位置情報の受信のタイミングと、識別情報送信手段３３０による識別情報３２２と位置情報３２４との送信のタイミングを制御する。送受信のタイミングは、加速度検出手段３３２による加速度の変化の検出に基づいて決定される。あるいは、当該無線端末１２０に予め設定された間隔あるいは時刻に基づいて決定されてもよい。また、送信と受信のタイミングは、それぞれ独立して決定されてもよい。さらに、制御手段３３４は、当該無線端末１２０が通信装置１００及び管理装置１４０と共にZigBee（登録商標）によりPANを構成する場合には、当該無線端末１２０がエンドポイント機能を提供するよう制御する。
【００７０】
上記構成により、本発明の一実施形態における無線端末１２０は、通信装置から位置情報を効率的に受信し、該位置情報と共に識別情報通信装置へ効率的に送信することができる。
【００７１】
なお、無線端末１２０がスマートフォンやＰＣのような情報端末である場合には、ユーザーからの入力を受け付ける入力手段や、ユーザーに情報を提示する表示手段を備えてもよい。これにより、ユーザーへの識別情報又は位置情報の提示や、ユーザーからの識別情報又は位置情報の入力又は修正が可能となる。
【００７２】
図３Ｃは、本発明の一実施形態における管理装置１４０の機能ブロック図を表す。本発明の一実施形態における管理装置１４０は、通信手段３４０、変換手段３４６及び制御手段３４８を有する。
【００７３】
通信手段３４０は、受信手段３４２と送信手段３４４を有する。受信手段３４２は、ネットワーク１８０に属する通信装置又は無線端末から送信されたデータを受信する。送信手段３４４は、当該管理装置１４０で変換された前記データを、ネットワーク１９０に属する管理サーバ１６０へ送信する。ネットワーク１８０は、例えばIEEE802.15.4及びZigBee（登録商標）規格に基づくPANである。また、ネットワーク１９０は、例えばIEEE802.3規格に基づくLANである。
【００７４】
変換手段３４６は、受信手段３４２がネットワーク１８０から受信したデータを、ネットワーク１９０に適合する形式に変換する。変換されたデータは、送信手段３４４によって、ネットワーク１９０を介して管理サーバ１６０へ送信される。ここで、前記データに含まれる、無線端末１２０の識別情報が、IEEE802.15.4の短縮アドレスで表されている場合には、PAN構成時の情報に基づき、IEEE拡張アドレスに変換される。
【００７５】
制御手段３４８は、当該管理装置１４０の動作を制御する。当該管理装置１４０が通信装置１００と無線端末１２０と共にZigBee（登録商標）規格によりPANを構成する場合には、当該管理装置１４０がコーディネータ機能を提供するよう制御する。
【００７６】
上記構成により、本発明の一実施形態における管理装置１４０は、通信装置１００及び無線端末１２０が属するネットワーク１８０と、管理サーバが属するネットワーク１９０との間の通信をブリッジすることができる。
【００７７】
図３Ｄは、本発明の一実施形態における管理サーバ１６０の機能ブロック図を表す。本発明の一実施形態における管理サーバ１６０は、通信手段３６０、記憶手段３６６、入力手段３７０、表示手段３７２及び制御手段３７４を有する。
【００７８】
通信手段３６０は、受信手段３６２と送信手段３６４を有する。受信手段３６２は、管理装置１４０を通じて無線端末から送信された識別情報と位置情報とを受信する。受信された識別情報と位置情報は、記憶手段３６６に記憶される。送信手段３６４は、外部サーバ等に対して位置情報の提供を求められた場合に、該位置情報を前記外部サーバ等に送信する。
【００７９】
記憶手段３６６は、位置管理情報３６８を有する。位置管理情報３６８は、無線端末１２０から受信した識別情報と位置情報に、受信時刻等の管理情報を付加した情報である。該情報を記憶するテーブルの例を図７に示す。図７は、識別情報、機器名、所有部署、緯度、経度、階数、棟、受信日時の項目を有する。識別情報は、当該識別情報を送信した無線端末１２０の、例えばIEEE拡張アドレスのような情報である。緯度、経度、階数、棟は、識別情報と共に受信された位置情報に対応する。受信日時は、管理サーバ１６０が当該情報を受信した日時である。機器名は、当該情報を送信した無線端末１２０が付される管理対象の名前又は無線端末１２０の機器名である。所有部署は、当該情報を送信した無線端末１２０を所有する部署名である。機器名及び所有部署の情報は、予め当該管理サーバ１６０によって、識別情報と関連付けられている。
【００８０】
入力手段３７０は、ユーザーが位置情報を探索するために、ユーザーからの入力を受け付ける。
【００８１】
表示手段３７２は、ユーザーが位置情報を探索するための検索画面に係るＧＵＩを画面上に表示する。検索画面の例を図９Ａに示す。図９Ａに示された「所在検索システム」では、記憶手段３６６に記憶された情報を元に、無線端末に係る所有部署と機器名を画面に一覧表示する。ユーザが、検索したい機器のチェックボックスを入力手段３７０を通じて選択すると、チェックマークが付される。検索したい機器に全てチェックマークを付けた後に「検索実行」ボタンを選択すると、検索が実行され、結果を表示する画面に切り替わる。図９Ａの例では、ユーザーが「営業１課」が所有する「ＵＣＳ  Ｐ３０００」という機器を対象として検索を実行する例を示している。図９Ｂは、その検索結果の画面の例である。「検索実行」ボタンが選択されると、表示手段３７２は、記憶手段３６６に記憶されたデータを元に、「ＵＣＳ  Ｐ３０００」が所在する「A棟4階」のフロア図と、その機器名及び受信日時を表示する。
【００８２】
制御手段３７４は、当該管理サーバの動作を制御する。
【００８３】
上記構成により、本発明の一実施形態における管理サーバ１６０は、無線端末の位置を管理し、その所在を検索することができる。特に、無線端末の位置そのものを表す情報そのものを直接受信して管理することができ、位置の探索にかかる計算量を低減することができる。
【００８４】
なお、管理サーバ１６０は、管理装置１６０の有する変換手段３４６、制御手段３４８及び受信手段３４２と同様の機能を有し、管理装置１６０と同様の機能を有してもよい。これにより、管理装置１６０を個別に設ける必要がなくなる。
【００８５】
また、管理サーバ１６０によって記憶される位置管理情報３６８は、図７に示された情報と共に、あるいは該情報に代えて、無線端末が情報を送信した日時、経由した通信装置又は管理装置の識別子、情報の到着までにかかった時間又は電界強度を含む情報を記憶してもよい。これにより、より詳細な条件で位置情報を管理することができる。
【００８６】
また、管理サーバ１６０は、無線端末の過去の位置情報を記録してもよい。これにより、無線端末の移動を追跡することができる。
【００８７】
（４．動作シーケンス）
図８は、図１の構成における本発明の一実施形態における位置情報管理システム１の動作シーケンスを表す図である。図８では、加速度の変化を検知すると位置情報を受信し、識別情報を送信する通信装置１００と、該通信装置１００の属する領域に位置情報を送信する無線端末１２０と、PAN（IEEE802.15.4及びZigBee（登録商標））とLAN（IEEE802.3）とをブリッジする管理装置１４０と、管理サーバ１６０とで構成される例について説明する。通信装置１００と、無線端末１２０と、管理装置１４０との間のPANは既に確立されているものとする。
【００８８】
ステップＳ８００において、通信装置１００は、IMES等を用いて位置情報を連続的又は断続的に送信する。
【００８９】
ステップＳ８０２において、無線端末１２０は、加速度の変化を検知する。
【００９０】
ステップＳ８０４において、無線端末１２０は、通信装置１００から送信される位置情報を受信する。
【００９１】
ステップＳ８０６において、無線端末１２０は、受信された位置情報を記憶する。
【００９２】
ステップＳ８０８において、無線端末１２０は、識別情報と位置情報を通信装置１００へ送信する。
【００９３】
ステップＳ８１０において、通信装置１００は、無線端末１２０から受信した識別情報と位置情報とを最小経路を通じて管理装置へ送信する。
【００９４】
ステップＳ８１２において、管理装置１４０は、通信装置１００から受信した識別情報と位置情報を含む、ネットワーク１８０から送信されたデータをネットワーク１９０で適合する形式へと変換する。
【００９５】
ステップＳ８１４において、管理装置１４０は、ネットワーク１９０に適合する形式に変換された識別情報と位置情報を管理サーバ１６０へ送信する。
【００９６】
ステップＳ８１６において、管理サーバ１６０は、管理装置から受信した識別情報と位置情報を、識別情報に対応する無線端末の情報と共に登録する。
【００９７】
以上の手順により、本発明の一実施形態における位置情報管理システム１は、無線端末が最寄の通信装置に対して効率よく識別情報と位置情報とを送信することにより、無線端末の消費電力を抑えることができる。
【００９８】
なお、既に述べたように、管理サーバ１６０が管理装置１４０の機能を統合して実行してもよい。この場合には、別個の管理装置１４０を設置する必要がなくなる。
【００９９】
また、無線端末が加速度検出手段３３２を備えていない場合には、ステップＳ８０２は実行されず、ステップＳ８０４における位置情報の受信は、所定の時刻又は所定の間隔で行われ得る。その後の処理は、ステップＳ８０６〜Ｓ８１６と同様である。
【０１００】
（５．無線端末の所在検索）
上述したように、本発明の一実施形態における管理サーバ１６０は、管理対象である無線端末の位置情報を適宜取得し、取得した位置情報を、無線端末固有の詳細情報とともに、図７に示されるようなテーブルに格納する。そして、管理サーバ１６０のユーザーは、図９Ａ、９Ｂのような検索画面を用いて、個々の無線端末の所在を探索することができる。以下では、無線端末の探索方法の幅を広げるための、さらなる実施例について説明する。当該実施例における管理サーバ１０６０は、ユーザーに、フロア地図上の任意の領域を選択させて、その領域に属する無線端末の所在を探索し、該当する端末の情報を表示させることができる。
【０１０１】
（５．１  管理サーバの追加機能）
当該実施例における管理サーバ１０６０は、図１０に示される機能ブロックを有する。図１０は、図３Ｄで示される管理サーバ１６０の機能ブロックと比べて、いくつかの機能ブロックが追加されている。以下、追加された機能ブロックについて説明する。
【０１０２】
本実施例における管理サーバ１０６０は、さらに、フロア地図表示手段１００２、マーカー選択手段１００４、無線端末特定手段１００６、端末情報表示手段１００８、位置情報取得手段１０１０を有し、ユーザの使用するクライアントＰＣからネットワークを介して要求を受け付け、応答を送信することができる。ユーザからの要求は、ＨＴＴＰのような、既知のプロトコルを用いてなされてもよいし、独自のプロトコルを用いてなされてもよい。また、既に説明した記憶手段３６６には、通信装置設置位置情報１０００が含まれる。通信装置設置位置情報１０００は、管理サーバ１０６０が管理対象とする領域に設置されている、全ての通信装置の識別情報と位置情報が記録されている。図１１は、これらの情報を格納するテーブルの例を表している。図１１のテーブルには、各通信装置のＭＡＣアドレスのような識別情報と、緯度、経度、階数、棟番号のような位置情報が、予め格納されている。
【０１０３】
フロア地図表示手段１００２は、ユーザーのクライアントＰＣからの要求に応じて、クライアントＰＣの表示画面上に、管理サーバ１０６０が管理対象とするフロアの地図を表示させる。フロア地図は、例えば、予め用意された画像データによって表現され、ＨＴＴＰのような、既存のプロトコルを通じて、クライアントＰＣのブラウザ等に表示される。また、フロア地図は、実際のフロアの各地点を表す緯度と経度の情報とマッピングされており、そのために必要な情報は、例えば記憶手段３６６に格納されている。
【０１０４】
クライアントＰＣ上に表示されるフロアは、ユーザーのクライアントＰＣからの要求において、指定される。例えば、図１３は、ユーザーによって指定された「Ｃ棟１６階」のフロア地図が表示された例を表している。また、図１３で示されるフロア地図上には、フロア内の会議室やデスクの配置情報のほかに、当該フロアに設置された通信装置の、地図上での位置を表すマーカー（以下、通信装置マーカーとする）が表示される。通信装置の設置された位置の情報（通信装置設置位置情報１０００）は、上述したように、記憶手段３６６に予め格納されている。フロア地図表示手段１００２は、フロア地図上の緯度と経度のマッピング情報に基づいて、通信装置マーカーを、適切に配置して表示させる。
【０１０５】
マーカー選択手段１００４は、ユーザーに、上記のフロア地図上に表示された、通信装置マーカーを選択させ、その通信装置マーカーに対応する通信装置の識別情報を取得する。このために、マーカー選択手段１００４は、クライアントＰＣの入力装置を通じて、表示されたフロア地図上の任意の領域を指定させることができる。例えば、入力装置がマウスである場合には、ユーザーは、画面上に表示されたフロア地図の上でドラッグ操作を行い、矩形や円形のような自由な図形を描くことで、一定の領域を指定することができる。この場合には、その領域に含まれる、通信装置マーカーが選択される。通信装置マーカーの選択方法は、この方法に限られず、例えば、任意の通信装置マーカーを一つずつ選択できるようにしてもよいし、任意の形状の図形を描いて、その内部の領域に属する通信装置マーカーを一度に選択できるようにしてもよい。マーカー選択手段１００４は、フロア地図内で指定された領域に含まれる通信装置マーカーを特定し、その識別情報を無線端末特定手段１００６に渡す。図１３では、画面上の右上に示される、６つの通信装置１４００−１４１０が選択された例を表している。これらの６つの通信装置の識別情報は、それぞれ、以下の通りである。
−通信装置１４００：識別情報「10101abcdef01」
−通信装置１４０２：識別情報「10101abcdef03」
−通信装置１４０４：識別情報「10101abcdef05」
−通信装置１４０６：識別情報「10101abcdef02」
−通信装置１４０８：識別情報「10101abcdef04」
−通信装置１４１０：識別情報「10101abcdef06」
無線端末特定手段１００６は、マーカー選択手段１００４を通じて選択された通信装置マーカーに対応する通信装置と同一の位置情報を有する、無線端末（の識別情報）を特定する。無線端末特定手段１００６は、選択された一以上の通信装置の識別情報を取得し、図１１のような通信装置設置位置情報１０００を用いて、それぞれの位置情報を取得する。そして、取得したそれぞれの位置情報を有する無線端末を特定するために、図１２に示される、位置管理情報３６８を参照する。図１２に示される位置管理情報３６８は、図７で示されたものと同様の構成を有するが、本実施例の説明のために、格納される情報が変更されている。図１２の例において、選択された６つの通信装置１４００−１４１０と同じ位置情報を有する無線端末として、以下の５つの無線端末１２００−１２０８の識別情報が特定される（括弧内は、同一の位置情報を有する通信装置を表す）。
−無線端末１２００：識別情報「002673abcdef01」  （通信装置１４００）
−無線端末１２０２：識別情報「002700abcdef02」  （通信装置１４００）
−無線端末１２０４：識別情報「002800abcdef03」  （通信装置１４０２）
−無線端末１２０６：識別情報「002800abcdef04」  （通信装置１４０８）
−無線端末１２０８：識別情報「002800abcdef05」  （通信装置１４１０）
なお、無線端末特定手段１００６は、図１２に示される位置管理情報３６８を参照する前に、後述する位置情報取得手段１０１０に対して、管理対象の無線端末の一部又は全ての位置情報を取得させてもよい。この場合、無線端末特定手段１００６は、各無線端末から位置情報が送信され、位置管理情報３６８が更新された後に、無線端末の識別情報を特定することができる。
【０１０６】
端末情報表示手段１００８は、ユーザーの使用するクライアントＰＣの表示画面上に、無線端末特定手段１００６によって特定された無線端末の端末情報を表示させる。その表示例を図１４と図１５に示す。図１４は、特定された無線端末の機器名が、所有部署ごとにグルーピングされて、表形式で表示される例を表している。無線端末の機器名と所有部署を表す情報は、無線端末の識別情報とともに、図１２に示される位置管理情報３６８に格納されている。このような表示によって、ユーザーは、地図上で選択した領域内に属する無線端末を把握することができる。また、図１５は、特定された無線端末の位置が、図１３で示されるようなフロア地図と並列に表示される例を表している。図１５では、特定された無線端末の機器名と所有部署が、画面上の左にリストで表示されるとともに、その無線端末の位置を表すマーカー（以下、「無線端末マーカー」とする）が、地図上に表示される。このとき、リスト上の無線端末の情報と、無線端末マーカーとは、番号によって対応付けられて表示される。これにより、ユーザーは、直感的に、選択した地図上の領域に属する無線端末の情報を確認することができる。
【０１０７】
位置情報取得手段１０１０は、無線端末特定手段１００６からの指示により、管理サーバ１０６０が管理対象とする無線端末から、位置情報を取得する。管理サーバ１０６０が管理対象とする無線端末は、例えば、図１２に示されるような位置管理情報３６８に記録されている無線端末である。本実施例においては、位置情報取得手段１０１０は、既に一度位置情報を送信した無線端末を対象に、位置情報を再送信するよう要求し、これらの最新の位置情報を取得することができる。当該要求は、図１Ａ、図１Ｂを用いて説明したように、ゲートウェイ１４０による通信変換処理と、各通信装置による中継処理を経て、各無線端末に伝送される。各無線端末は、当該要求を受信すると、既に説明したように、自らの識別情報と位置情報とを、ネットワーク１８０を介して当該管理サーバ１０６０へ再送信する。位置情報取得手段１０１０は、取得した識別情報と位置情報とを用いて、位置管理情報３６８を更新する。
【０１０８】
以上の機能によって、本実施例における管理サーバ１０６０は、ユーザーによって指定された領域にある無線端末の情報を提示することができる。
【０１０９】
なお、上記の例においては、管理サーバ１０６０が、ユーザーの使用するクライアントＰＣからの要求を受けて、その表示画面や入力装置を用いて、情報の入出力を行う例について説明した。しかしながら、ユーザーは、管理サーバ１０６０自身が有する、表示部２７４や入力部２７８を用いて、同様の処理を行うよう構成されてもよい。
【０１１０】
また、上記の例では、無線端末の情報として、無線端末の所有部署や、機器名の情報が用いられたが、これに限定されない。例えば、無線端末の所有者や、固有のＩＤのような情報が含まれてもよい。これらの情報は、位置管理情報３６８内に定義されてもよいし、別途設けられたテーブルによって定義されてもよい。
【０１１１】
（５．２  管理サーバの処理フロー）
次に、図１６を用いて、管理サーバ１０６０の処理フローについて説明する。ここでは、図１１に示される通信装置設置位置情報１０００と、図１２に示される位置管理情報３６８の例を用いて具体的に説明する。
【０１１２】
ステップＳ１６００において、管理サーバ１０６０の処理が開始する。
【０１１３】
ステップＳ１６０２において、フロア地図表示手段１００２は、ユーザーの使用するクライアントＰＣからの要求に応じて、クライアントＰＣの表示画面上に、ユーザーによって予め指定されたフロアの地図を表示させる。
【０１１４】
ステップＳ１６０４において、フロア地図表示手段１００２は、指定されたフロアに設置された通信装置の位置を表す通信装置マーカーを、地図上に表示する。通信装置の設置位置は、予め、記憶手段３６６に、通信装置設置位置情報１０００として格納されている。図１３は、フロア地図と、通信装置マーカーとを表示する画面の例である。
【０１１５】
ステップＳ１６０６において、マーカー選択手段１００４は、ユーザーに、フロア地図上に表示された通信装置マーカーを選択させる。ユーザーは、例えば、クライアントＰＣに備えられたマウスを用いて、表示されたフロア地図上で任意の図形を描くことにより、任意の領域を指定することができる。マーカー選択手段１００４は、ユーザーによって指定された領域に含まれる通信装置マーカーの識別情報を特定し、その情報を無線端末特定手段１００６に渡す。図１３は、ユーザーによって指定された矩形で囲まれた、６つの通信装置マーカーが選択された例を表している。選択された通信装置の識別情報は、以下の通りである。
−通信装置１４００：識別情報「10101abcdef01」
−通信装置１４０２：識別情報「10101abcdef03」
−通信装置１４０４：識別情報「10101abcdef05」
−通信装置１４０６：識別情報「10101abcdef02」
−通信装置１４０８：識別情報「10101abcdef04」
−通信装置１４１０：識別情報「10101abcdef06」
ステップＳ１６０８において、無線端末の位置情報を取得する場合には，Ｓ１６１０へと進む。そうでないばあいには、Ｓ１６１２へと進む。無線端末の位置情報を再取得するかどうかは、管理サーバ１０６０の管理者によって、予め設定され得る。
【０１１６】
ステップＳ１６１０において、無線端末特定手段１００６は、位置情報取得手段１０１０に、各無線端末から位置情報を再取得するよう指示する。これを受けて、位置情報取得手段１０１０は、位置管理情報３６８に記録された無線端末の識別情報を用いて、各無線端末に対して、位置情報を送信するよう要求する。当該要求は、図１Ａ、図１Ｂを用いて説明したように、ゲートウェイ１４０による通信変換処理と、各通信装置による中継処理を経て、各無線端末に伝送される。各無線端末は、当該要求を受信すると、既に説明した手順によって、自らの識別情報と位置情報とを再送信する。位置情報取得手段１０１０は、取得した識別情報と位置情報とを用いて、位置管理情報３６８を更新する。
【０１１７】
ステップＳ１６１２において、無線端末特定手段１００６は、図１１に例示される通信装置設置位置情報１０００を参照し、選択された一以上の通信装置の位置情報を取得する。取得される位置情報は、以下の通りである。
−通信装置１４００：緯度「35.459555」  経度「139.387110」  階数「16」  棟「Ｃ」
−通信装置１４０２：緯度「35.459595」  経度「139.387110」  階数「16」  棟「Ｃ」
−通信装置１４０４：緯度「35.459635」  経度「139.387110」  階数「16」  棟「Ｃ」
−通信装置１４０６：緯度「35.459555」  経度「139.387160」  階数「16」  棟「Ｃ」
−通信装置１４０８：緯度「35.459595」  経度「139.387160」  階数「16」  棟「Ｃ」
−通信装置１４１０：緯度「35.459635」  経度「139.387160」  階数「16」  棟「Ｃ」
ステップＳ１６１４において、無線端末特定手段１００６は、図１２に例示される位置管理情報３６８を参照し、選択された通信装置の位置情報と同一の位置情報を有する無線端末を特定する。以下は、無線端末特定手段１００６によって特定された無線端末の識別情報である（括弧内は、同一の位置情報を有する通信装置を表す）。
−無線端末１２００：識別情報「002673abcdef01」  （通信装置１４００）
−無線端末１２０２：識別情報「002700abcdef02」  （通信装置１４００）
−無線端末１２０４：識別情報「002800abcdef03」  （通信装置１４０２）
−無線端末１２０６：識別情報「002800abcdef04」  （通信装置１４０８）
−無線端末１２０８：識別情報「002800abcdef05」  （通信装置１４１０）
ステップＳ１６１６において、端末情報表示手段１００８は、ユーザーの使用するクライアントＰＣの表示画面上に、無線端末特定手段１００６によって特定された無線端末の端末情報を表示する。図１４、図１５は、表示例を表す。図１４は、特定された無線端末の機器名が、所有部署ごとにグルーピングされて、表形式で表示される例を表している。また、図１５は、特定された無線端末の位置が、図１３で示されるようなフロア地図上で表示される例を表している。
【０１１８】
ステップＳ１６１８において、当該処理は終了する。
【０１１９】
以上の処理によって、本実施例における管理サーバ１０６０は、フロア地図上に表示された、通信装置の設置位置を表すマーカーを、ユーザーに選択させることによって、その通信装置の測位信号の到達範囲にある、無線端末を特定し、その情報を表示させることができる。
【符号の説明】
【０１２０】
１００、１０２、１０４、１０６  通信装置
１２０、１２２、１２４  無線端末
１４０  管理装置
１６０、１０６０  管理サーバ
１８０  ネットワーク
１９０  ネットワーク
【先行技術文献】
【特許文献】
【０１２１】
【特許文献１】特許第４６２０４１０号公報
【特許文献２】特開２０１０−１５９９８０号公報
【特許文献３】国際公開第２００５／０８６３７５号
【図１Ａ】
2014060466.tif 000003
【図１Ｂ】
2014060466.tif 000004
【図２Ａ】
2014060466.tif 000005
【図２Ｂ】
2014060466.tif 000006
【図２Ｃ】
2014060466.tif 000007
【図２Ｄ】
2014060466.tif 000008
【図３Ａ】
2014060466.tif 000009
【図３Ｂ】
2014060466.tif 000010
【図３Ｃ】
2014060466.tif 000011
【図３Ｄ】
2014060466.tif 000012
【図４】
2014060466.tif 000013
【図５】
2014060466.tif 000014
【図６】
2014060466.tif 000015
【図７】
2014060466.tif 000016
【図８】
2014060466.tif 000017
【図９Ａ】
2014060466.tif 000018
【図９Ｂ】
2014060466.tif 000019
【図１０】
2014060466.tif 000020
【図１１】
2014060466.tif 000021
【図１２】
2014060466.tif 000022
【図１３】
2014060466.tif 000023
【図１４】
2014060466.tif 000024
【図１５】
2014060466.tif 000025
【図１６】
2014060466.tif 000026